(57)【要約】【課題】番組を録画しようとするユーザの利便性を向上させる。【解決手段】テレビ放送される番組を受信して録画可能な録画装置であって、放送が予定される複数の番組の中から前記録画の候補となる番組の選択を受け付ける番組選択受付部と、前記選択された番組の番組情報に基づいて検索用のキーワードを設定するキーワード設定部と、インターネットに接続して所定の検索エンジンに前記キーワードを入力し、当該検索エンジンが当該キーワードに基づいて実行した検索により抽出されたウェブページに掲載された画像ファイルを、当該インターネットを通じてダウンロードする画像ファイル取得部と、前記選択された番組の番組情報を記載した番組情報画面であって、前記ダウンロードされた画像ファイルに基づく画像を含んだ番組情報画面を表示部に表示させる表示制御部とを備える。【選択図】図２
2016009909.tif 000002
【特許請求の範囲】
【請求項１】
テレビ放送される番組を受信して録画可能な録画装置であって、
放送が予定される複数の番組の中から前記録画の候補となる番組の選択を受け付ける番組選択受付部と、
前記選択された番組の番組情報に基づいて検索用のキーワードを設定するキーワード設定部と、
インターネットに接続して所定の検索エンジンに前記キーワードを入力し、当該検索エンジンが当該キーワードに基づいて実行した検索により抽出されたウェブページに掲載された画像ファイルを、当該インターネットを通じてダウンロードする画像ファイル取得部と、
前記選択された番組の番組情報を記載した番組情報画面であって、前記ダウンロードされた画像ファイルに基づく画像を含んだ番組情報画面を表示部に表示させる表示制御部と、を備えることを特徴とする録画装置。
【請求項２】
前記キーワード設定部は、前記番組情報の一部である番組名を前記キーワードに設定することを特徴とする請求項１に記載の録画装置。
【請求項３】
前記キーワード設定部は、前記番組情報の一部と、外部から入力されたキーワードとを、前記キーワードに設定することを特徴とする請求項１または請求項２に記載の録画装置。
【請求項４】
前記画像ファイル取得部は、前記検索により最上位に抽出されたウェブページに掲載された画像ファイルをダウンロードすることを特徴とする請求項１〜請求項３のいずれかに記載の録画装置。
【請求項５】
前記画像ファイル取得部は、前記検索により抽出されたウェブページに掲載された画像ファイルのうち所定数の画像ファイルを選択してダウンロードする際に、画像サイズが大きい画像ファイルを優先して選択することを特徴とする請求項１〜請求項４のいずれかに記載の録画装置。
【請求項６】
前記画像ファイル取得部は、前記検索により抽出されたウェブページに掲載された画像ファイルのうち所定数の画像ファイルを選択してダウンロードする際に、前記番組情報の一部である番組の出演者名との類似度が高いファイル名を有する画像ファイルを優先して選択することを特徴とする請求項１〜請求項４のいずれかに記載の録画装置。
【請求項７】
前記画像ファイル取得部は、前記検索により抽出されたウェブページに掲載された画像ファイルのうち所定数の画像ファイルを選択してダウンロードする際に、当該ウェブページ内における表示位置が当該ウェブページの先頭に近い画像ファイルを優先して選択することを特徴とする請求項１〜請求項４のいずれかに記載の録画装置。
【請求項８】
前記表示制御部は、前記画像ファイルに基づくサムネイル画像を前記番組情報画面内に表示させ、当該サムネイル画像に対する拡大の指示を受けた場合に、当該サムネイル画像を拡大表示することを特徴とする請求項１〜請求項７のいずれかに記載の録画装置。
【請求項９】
前記画像ファイルに基づく画像を含んだ番組情報画面が前記表示部に表示された後に、画像ファイルのダウンロードの指示を受けた場合に、前記画像ファイル取得部は、前記検索により抽出されたウェブページから、現時点でダウンロード済みの画像ファイルとは異なる画像ファイルをダウンロードすることを特徴とする請求項１〜請求項８のいずれかに記載の録画装置。
【請求項１０】
番組の内容のジャンルの選択を受け付けるジャンル選択受付部を備え、
前記キーワード設定部は、前記選択された番組の番組情報が示す番組の内容のジャンルが前記選択されたジャンルに該当する場合に、前記キーワードの設定を行うことを特徴とする請求項１〜請求項９のいずれかに記載の録画装置。
【請求項１１】
番組の録画の履歴を記録した履歴記録部を備え、
前記キーワード設定部は、前記選択された番組の番組情報の一部である番組名と同じ番組名を有する番組の録画の履歴が前記履歴記録部に記録されていない場合に、前記キーワードの設定を行うことを特徴とする請求項１〜請求項１０のいずれかに記載の録画装置。
【請求項１２】
テレビ放送が予定される複数の番組の中から録画の候補となる番組の選択を受け付ける番組選択受付工程と、
前記選択された番組の番組情報に基づいて検索用のキーワードを設定するキーワード設定工程と、
インターネットに接続して所定の検索エンジンに前記キーワードを入力し、当該検索エンジンが当該キーワードに基づいて実行した検索により抽出されたウェブページに掲載された画像ファイルを、当該インターネットを通じてダウンロードする画像ファイル取得工程と、
前記選択された番組の番組情報を記載した番組情報画面であって、前記ダウンロードされた画像ファイルに基づく画像を含んだ番組情報画面を表示部に表示させる表示制御工程と、を備えることを特徴とする番組情報表示方法。
【発明の詳細な説明】
【技術分野】
【０００１】
本発明は、録画装置および番組情報表示方法に関する。
【背景技術】
【０００２】
ユーザは、レコーダやテレビジョン受像機がモニターに表示させる、テレビ放送が予定される複数の番組を示す電子番組表を見ながら、録画（録画予約）の候補となる番組を任意に選択することができる。
【０００３】
また、放送番組の番組情報からキーワードを取得するキーワード取得部と、ネットワークを介して接続されたサーバから前記キーワードに関連した画像情報を取得する画像取得部と、前記番組情報と前記画像情報に基づいて番組表を作成する番組表生成部とを有するデジタル放送受信機が知られている（特許文献１参照）。
【先行技術文献】
【特許文献】
【０００４】
【特許文献１】特開２０１２‐２３６３３号公報
【発明の概要】
【発明が解決しようとする課題】
【０００５】
上述したように電子番組表の中から録画の候補となる番組（録画候補番組）が選択されると、録画候補番組についての番組情報を文書で記載した番組情報画面が更にモニターに表示される。ユーザは、この番組情報画面の文書を読むことで、録画候補番組の内容をある程度把握して、録画候補番組を録画すべきか否か判断する。
【０００６】
しかしながら、このような番組情報画面の文書だけでは、ユーザは、録画候補番組の内容を具体的に想像できないこともあるため、録画候補番組を録画すべきか否か迷っているユーザに提供される情報として十分とは言えなかった。
【０００７】
なお前記文献は、チャンネルかつ時間帯毎の各番組の情報を載せた番組表を表示する際に、それぞれの番組欄内に縮小画像を組み込んで表示するものである。そのため、ユーザに情報を提供するために必要な処理量（前記文献においては番組表を生成する処理量）が非常に多く、機器側の処理負担が大きかった。また、ユーザの関心の有る番組か否かに関わらず全ての番組について縮小画像が併せて表示されるため、処理として無駄が多く、かつ、ユーザにとって価値の低い画像も画面内に含まれることで却って利便性、快適性を損なっているとも言えた。
【０００８】
本発明は上述の課題の少なくとも一つを解決するためになされたものであり、ユーザにとって有益性が高い情報を見やすく表示することで、所望の番組を録画しようとするユーザの利便性、快適性を向上させる録画装置および番組情報表示方法を提供する。
【課題を解決するための手段】
【０００９】
本発明の態様の一つは、テレビ放送される番組を受信して録画可能な録画装置であって、放送が予定される複数の番組の中から前記録画の候補となる番組（録画候補番組）の選択を受け付ける番組選択受付部と、前記録画候補番組の番組情報に基づいて検索用のキーワードを設定するキーワード設定部と、インターネットに接続して所定の検索エンジンに前記キーワードを入力し、当該検索エンジンが当該キーワードに基づいて実行した検索により抽出されたウェブページに掲載された画像ファイルを、当該インターネットを通じてダウンロードする画像ファイル取得部と、前記録画候補番組の番組情報を記載した番組情報画面であって、前記ダウンロードされた画像ファイルに基づく画像を含んだ番組情報画面を表示部に表示させる表示制御部と、を備える。
【００１０】
本態様によれば、録画候補番組が選択されると、録画候補番組の番組情報に基づくキーワードで、インターネット上の検索エンジンによりウェブページの検索が行われ、検索により抽出されたウェブページに掲載された画像ファイルがダウンロードされ、録画候補番組の番組情報を記載した番組情報画面は、このダウンロードされた画像ファイルに基づく画像を含んだ状態で表示部に表示される。従って、ユーザは、当該画像を含んだ番組情報画面を見ることで、自ら選択した録画候補番組の内容を容易かつ具体的に想像でき、録画候補番組を録画すべきか否かの判断に役立てることができる。
【００１１】
本発明の技術的思想は、録画装置以外の態様によって実現されてもよい。例えば、録画装置の各部が実行する各工程と同様の工程を含む方法（番組情報表示方法）を一つの発明として捉えることができる。また、当該方法を録画装置等のハードウェア（録画装置等が搭載するコンピュータ）に実行させるためのプログラムや、当該プログラムを記憶したコンピュータ読取可能な記憶媒体を、それぞれ発明として捉えることができる。
【図面の簡単な説明】
【００１２】
【図１】レコーダの概略構成を示すブロック図。
【図２】第１，第２，第３実施例にかかる番組情報画面表示処理を示すフローチャート。
【図３】電子番組表を例示する図。
【図４】検索されたウェブページを例示する図。
【図５】番組情報画面（録画予約画面）を例示する図。
【図６】第４実施例にかかる番組情報画面表示処理を示すフローチャート。
【図７】第５実施例にかかる番組情報画面表示処理を示すフローチャート。
【発明を実施するための形態】
【００１３】
本発明の実施形態として、前記キーワード設定部は、前記番組情報の一部である番組名を前記キーワードに設定するとしてもよい。
また、本発明の実施形態として、前記キーワード設定部は、前記番組情報の一部と、外部から入力されたキーワードとを、前記キーワードに設定するとしてもよい。
【００１４】
また、本発明の実施形態として、前記画像ファイル取得部は、前記検索により最上位に抽出されたウェブページに掲載された画像ファイルをダウンロードするとしてもよい。
また、本発明の実施形態として、前記画像ファイル取得部は、前記検索により抽出されたウェブページに掲載された画像ファイルのうち所定数の画像ファイルを選択してダウンロードする際に、画像サイズが大きい画像ファイルを優先して選択するとしてもよい。
また、本発明の実施形態として、前記画像ファイル取得部は、前記検索により抽出されたウェブページに掲載された画像ファイルのうち所定数の画像ファイルを選択してダウンロードする際に、前記番組情報の一部である番組の出演者名との類似度が高いファイル名を有する画像ファイルを優先して選択するとしてもよい。
また、本発明の実施形態として、前記画像ファイル取得部は、前記検索により抽出されたウェブページに掲載された画像ファイルのうち所定数の画像ファイルを選択してダウンロードする際に、当該ウェブページ内における表示位置が当該ウェブページの先頭に近い画像ファイルを優先して選択するとしてもよい。
【００１５】
また、本発明の実施形態として、前記表示制御部は、前記画像ファイルに基づくサムネイル画像を前記番組情報画面内に表示させ、当該サムネイル画像に対する拡大の指示を受けた場合に、当該サムネイル画像を拡大表示するとしてもよい。
また、本発明の実施形態として、前記画像ファイルに基づく画像を含んだ番組情報画面が前記表示部に表示された後に、画像ファイルのダウンロードの指示を受けた場合に、前記画像ファイル取得部は、前記検索により抽出されたウェブページから、現時点でダウンロード済みの画像ファイルとは異なる画像ファイルをダウンロードするとしてもよい。
【００１６】
また、本発明の実施形態として、録画装置は、番組の内容のジャンルの選択を受け付けるジャンル選択受付部を備え、前記キーワード設定部は、前記選択された番組の番組情報が示す番組の内容のジャンルが前記選択されたジャンルに該当する場合に、前記キーワードの設定を行うとしてもよい。
また、本発明の実施形態として、録画装置は、番組の録画の履歴を記録した履歴記録部を備え、前記キーワード設定部は、前記選択された番組の番組情報の一部である番組名と同じ番組名を有する番組の録画の履歴が前記履歴記録部に記録されていない場合に、前記キーワードの設定を行うとしてもよい。
【００１７】
以下、図面を参照しながら本発明の実施形態を更に説明する。以下の実施形態では、テレビ放送される番組を受信して録画可能な録画装置の一例であるハードディスクレコーダ（以下、レコーダ）に本発明を適用した場合について説明する。録画装置は、番組情報表示方法（図２，６，７のフローチャート参照）の実行主体となる。ただし、番組情報表示方法を実現する物は、録画機能を備えたテレビジョン受像機であってもよいし、レコーダとテレビジョン受像機とを含むシステム等であってもよい。また本発明にかかる録画装置は、録画（記録）再生装置、放送受信装置、等と呼んでもよい。
【００１８】
（装置の概略）
まず、レコーダ１００の構成について説明する。レコーダ１００は、図１に示すように、表示装置２００（表示部の一例）が接続されるレコーダ本体１と、レコーダ本体１を遠隔操作するリモートコントローラ（リモコン）２とを備えている。
【００１９】
レコーダ本体１は、チューナ１１と、ＨＤＤ（Hard disk drive）部１２と、ＤＶＤ（Digital Versatile Disk）部１３と、信号処理部１４と、ＥＰＧ（Electronic Program Guide：電子番組ガイド）データ抽出部１５と、ＯＳＤ（On-Screen Display）部１６と、合成部１７と、出力部１８と、受信部１９と、ネットワーク接続部２３と、ＣＰＵ２０と、ＲＯＭ２１と、ＲＡＭ２２とを含んでおり、これらはバス１ａを介して接続されている。
【００２０】
チューナ１１には、アンテナ（図示省略）が接続されている。図１では、チューナ１１は、複数のチューナの総称として図１に描かれている。例えば、チューナ１１は、地上デジタル放送を受信する複数のチューナ、ＢＳデジタル放送を受信する複数のチューナ、および、ＣＳデジタル放送を受信する複数のチューナを含んでおり、地上デジタル放送、ＢＳデジタル放送、およびＣＳデジタル放送などの様々なテレビ放送を受信する。
【００２１】
チューナ１１は、受信した放送信号を信号処理部１４およびＥＰＧデータ抽出部１５に出力する。なお、チューナ１１が出力する放送信号には、番組を構成する映像音声情報および放送予定の複数の番組の番組情報（ＥＰＧデータ）が含まれている。ＥＰＧデータは、番組毎の、チャンネル名、番組名、解像度やビットレートなどの画質情報、番組の長さ（時間長）、開始時間、終了時間、その他、番組に関する詳細情報などを含む。この詳細情報には、番組の出演者名を示す出演者情報や、番組の内容のジャンルを示すジャンル情報や、番組内容の説明等が含まれる。ＥＰＧデータ抽出部１５は、チューナ１１から入力された放送信号から定期的あるいは不定期に、その時点で最新のＥＰＧデータを抽出する。そして、抽出されたＥＰＧデータは、ＲＯＭ２１等に記憶される。
【００２２】
ＨＤＤ部１２は、ハードディスク等を有しており、番組（番組を構成する映像音声情報）を記録（つまり録画）し、また、記録した映像音声情報を信号処理部１４に出力する。ＤＶＤ部１３は、ディスクトレイや光ピックアップなどを有しており、ディスクトレイに載置されたＤＶＤ（図示省略）に対する読み込みおよび書き込みを行う。ハードディスクは、レコーダ１００に内蔵されたものに限らず、いわゆる外付けされたものであってもよい。ＤＶＤ部１３は、ＤＶＤから読み込んだ映像音声情報を信号処理部１４に出力する。むろん、ＤＶＤ部１３は、ＤＶＤ以外の光ディスク（ＣＤやブルーレイディスク等）に対する読み込みおよび書き込みを実行可能な製品でもよい。また、レコーダ１００は、ＤＶＤ部１３を有していなくてもよい。
【００２３】
信号処理部１４は、デコーダなどを有しており、チューナ１１、ＨＤＤ部１２、およびＤＶＤ部１３から入力された信号に対して復調等の所定の処理を施す。そして、信号処理部１４は、所定の処理が施された信号を合成部１７に出力する。
【００２４】
ＯＳＤ部１６は、ＯＳＤ信号を生成するとともに、生成したＯＳＤ信号を合成部１７に出力する。ＯＳＤ部１６は、ＲＯＭ２１等に記憶されているＥＰＧデータに基づいて、電子番組表（現在放送中および今後放送予定の番組を示した電子番組表ＰＧ、図３参照。）を表示するためのＯＳＤ信号を生成する。また、ＯＳＤ部１６は、後述するような番組情報画面ＰＩ（図５参照）を表示するためのＯＳＤ信号を生成する。合成部１７は、信号処理部１４から入力された信号に、ＯＳＤ部１６から入力されたＯＳＤ信号を重畳して出力部１８に出力する。なお、番組情報画面ＰＩは、“録画予約画面ＰＩ”とも呼ぶ。
【００２５】
出力部１８は、合成部１７から入力された信号を表示装置２００に出力する。表示装置２００は、たとえば、テレビジョン受像機であり、番組の映像や電子番組表ＰＧや録画予約画面ＰＩなどを表示し、また、番組の音声を不図示のスピーカから出力する。あるいは、レコーダ本体１および表示装置２００の機能を含んだ構成を、一つの製品（テレビジョン受像機）として捉えることも可能である。
【００２６】
受信部１９は、フォトダイオードなどを含み、リモコン２から出力されるリモコン信号を受信する。ＣＰＵ２０は、レコーダ本体１の動作を所定のプログラムに従って制御する。ＲＯＭ２１は、書き換え可能な不揮発性のメモリであり、たとえば、フラッシュメモリである。ＲＯＭ２１は、レコーダ本体１の動作を制御するための前記プログラムや、地上デジタル放送、ＢＳデジタル放送、およびＣＳデジタル放送等の数日間分のＥＰＧデータなどを記憶する。ＲＡＭ２２は、たとえば、ＤＲＡＭであり、前記プログラムが実行される際にデータなどを一時的に記憶する。
【００２７】
ネットワーク接続部（ネットワークアダプタ）２３は、有線または無線により、レコーダ１００をインターネットＩＮに接続させる。例えば、ネットワーク接続部２３は、図示しないルータ等を介して、所定の通信プロトコルに則って、インターネットＩＮに接続する各サーバＳＶとの間で情報を送受信可能である。なお、図１に記載したレコーダ本体１の各構成は、一か所あるいは同じ筐体に集約されている必要はなく、有線または無線にて通信可能に接続されて結果的にレコーダ本体１と同様の機能を果たすシステムであってもよい。
【００２８】
（第１実施例）
図２は、第１実施例にかかる番組情報画面表示処理を示すフローチャートである。当該フローチャートの各ステップは、ＣＰＵ２０による制御下で実行される。
ステップＳ１００では、ＣＰＵ２０は、ＯＳＤ部１６、合成部１７、出力部１８等を制御することにより、電子番組表ＰＧを表示装置２００に表示させる。
【００２９】
図３は、ＥＰＧデータに基づいて表示される電子番組表ＰＧの一部を例示している。電子番組表ＰＧでは、チャンネルかつ時間帯毎の各番組欄を含んでおり、各番組欄には、番組名等、ＥＰＧデータに基づく情報が表示されている。
【００３０】
ステップＳ１１０では、ＣＰＵ２０は、放送が予定される複数の番組の中から録画の候補となる番組（録画候補番組）の選択を受け付けたか否か判定する。つまり、ＣＰＵ２０は、電子番組表ＰＧを表示装置２００に表示させつつ、ユーザが操作するリモコン２等からの指示により、電子番組表ＰＧに情報が含まれるいずれかの番組が録画候補番組として選択されたか否かを判定する。そして、録画候補番組の選択を受け付けた場合には、ステップＳ１２０へ進み、一方、録画候補番組の選択を受け付けていない場合には、ステップＳ１１０の判定を繰り返す。このようなステップＳ１１０を実現する点で、ＣＰＵ２０は、番組選択受付部として機能すると言える。
【００３１】
ステップＳ１２０では、ＣＰＵ２０は、ＲＯＭ２１に記憶されたＥＰＧデータを参照することにより、録画候補番組の番組名を取得する。
ステップＳ１３０では、ＣＰＵ２０は、外部からキーワードが入力済みであるか否か判定する。本実施形態では、ユーザは、リモコン２等を操作することにより、後述する検索に用いるためのキーワードをレコーダ本体１に対して任意に入力することができる。ＣＰＵ２０は、このようなキーワードがユーザによって入力済みの状況であればステップＳ１５０へ進み、キーワードが入力されていなければステップＳ１４０へ進む。
【００３２】
ステップＳ１４０では、ＣＰＵ２０は、ステップＳ１２０で取得された番組名を、検索用のキーワードに設定する。一方、ステップＳ１５０では、ＣＰＵ２０は、ステップＳ１２０で取得された番組名と、前記入力済みのキーワードを、検索用のキーワードに設定する（“番組名”and“入力済みのキーワード”をキーワードに設定する）。つまり、ＣＰＵ２０は、ステップＳ１４０では、録画候補番組の番組情報（のみ）に基づく検索用のキーワードを設定し、一方、ステップＳ１５０では、録画候補番組の番組情報と、外部から入力されたキーワードとに基づいて、検索用のキーワードを設定する。なお、キーワードとして用いるに録画候補番組の番組情報は、前記では番組名を例に挙げたが、ＥＰＧデータに含まれる情報であって番組名以外の情報であってもよい。ステップＳ１２０〜Ｓ１５０を実現する点で、ＣＰＵ２０は、キーワード設定部として機能すると言える。
【００３３】
ステップＳ１６０では、ＣＰＵ２０は、ネットワーク接続部２３を制御することによりインターネットＩＮに接続させ、ステップＳ１４０，Ｓ１５０のいずれか一方で設定したキーワードを、ネットワーク接続部２３を介して所定の検索エンジンＳＥに入力させる。検索エンジンＳＥとして機能する公知のプログラムは、例えば、サーバＳＶに搭載されており（図１参照）、キーワードは、ネットワーク接続部２３からインターネットＩＮを通じてサーバＳＶに送信される。サーバＳＶ側では、検索エンジンＳＥが前記入力されたキーワードに基づいてインターネット上で検索を実行することにより、前記入力されたキーワードに関連するウェブページを抽出する。図２では、サーバＳＶ側の処理を、破線の矩形内に示している。当該検索の結果として、検索エンジンＳＥにより一以上のウェブページが抽出される。
【００３４】
ステップＳ１７０では、ＣＰＵ２０は、サーバＳＶから、前記抽出されたウェブページに掲載された画像ファイルの特定情報を取得する。“ウェブページに掲載された画像ファイル”とは、当該ウェブページに画像が直接に埋め込まれた、あるいは当該ウェブページにリンク先が掲示された画像ファイル等である。また、“画像ファイルの特定情報”とは、本実施例では、画像ファイルが表現する画像のサイズ（画像サイズ）を指す。画像サイズは、画像の総画素数に比例する。ＣＰＵ２０は、ネットワーク接続部２３を制御することにより、インターネットＩＮを通じてサーバＳＶに前記画像ファイルの特定情報の提供を要求する。当該要求に応じて、サーバＳＶは、前記抽出されたウェブページに掲載された画像ファイルの特定情報をインターネットＩＮを通じてレコーダ１００（ネットワーク接続部２３）へ送信する。当該送信をネットワーク接続部２３で受けることにより、ＣＰＵ２０は、前記抽出されたウェブページに掲載された画像ファイルの特定情報を取得することができる。なお、ウェブページを構成するＨＴＭＬ（HyperText Markup Language）等の言語には、当該ウェブページに掲載される画像ファイルの各種情報（画像サイズ、ファイル名、ウェブページ内における位置情報…等）が記述されており、前記特定情報はこのような記述をサーバＳＶが解析することで把握される。
【００３５】
ステップＳ１８０では、ＣＰＵ２０は、ステップＳ１７０で取得した画像ファイルの特定情報に基づき、ダウンロードすべき所定数の画像ファイルを選択し、当該選択した画像ファイルのダウンロードの要求を、インターネットＩＮを通じてサーバＳＶに送信する。例えば、ＣＰＵ２０は、前記抽出されたウェブページに掲載された画像ファイルのうち画像サイズが大きい順に３つ（所定数の一例）の画像ファイルを選択してダウンロードを要求する。当該ダウンロードの要求に応じて、サーバＳＶは、当該要求において選択されている画像ファイルをインターネットＩＮを通じてレコーダ１００（ネットワーク接続部２３）へ送信する。当該送信をネットワーク接続部２３で受けることにより、ＣＰＵ２０は、前記抽出されたウェブページに掲載された画像ファイルを取得することができる。このように取得した画像ファイルは、ＨＤＤ部１２によって保存される（ダウンロード完了）。ステップＳ１６０，Ｓ１７０（および後述のステップＳ２００，Ｓ２１０）を実現する点で、ＣＰＵ２０は、画像ファイル取得部として機能すると言える。
【００３６】
図４は、検索エンジンＳＥによる前記検索の結果、抽出されたウェブページＷＰの一例を示している。例えば、ステップＳ１５０で“ドラマ○○○”and“公式”というキーワードが設定された結果、図４に示したようなウェブページＷＰが検索されたとする。“ドラマ○○○”は、録画候補番組の番組名であり、“公式”という言葉は、ユーザが予め入力したキーワードである。つまり、図４に例示したウェブページＷＰは“ドラマ○○○”というテレビ番組の公式ホームページの一部である。図４に例示したウェブページＷＰは、検索エンジンＳＥによる前記検索の結果、最上位に抽出された（つまり、設定されたキーワードと最も関連性が高いと検索エンジンＳＥに判断された）ウェブページでもある。本実施例では、ＣＰＵ２０は、前記検索により抽出された複数のウェブページのうち最上位に抽出されたウェブページに掲載された画像ファイルについての特定情報を要求し（ステップＳ１７０）、当該最上位に抽出されたウェブページに掲載された画像ファイルのうちの所定数の画像ファイルをダウンロードする（ステップＳ１８０）。
【００３７】
図４の例では、ウェブページＷＰ内には、ＩＭ１，ＩＭ２，ＩＭ３，ＩＭ４…という複数の画像が掲載されている。上述したステップＳ１７０，Ｓ１８０の例に従えば、ウェブページＷＰに掲載された画像ＩＭ１，ＩＭ２，ＩＭ３，ＩＭ４…のうち、画像サイズが大きい画像ファイル（画像ＩＭ１，ＩＭ３，ＩＭ４それぞれの画像ファイル）が優先的に選択され、当該選択された画像ファイルがダウンロードされる。
【００３８】
ステップＳ１９０では、ＣＰＵ２０は、ＯＳＤ部１６、合成部１７、出力部１８等を制御することにより、ステップＳ１８０でダウンロードした画像ファイルに基づく画像を含んだ録画予約画面ＰＩを生成させ、当該録画予約画面ＰＩを表示装置２００に表示させる。
【００３９】
図５は、ステップＳ１９０において表示装置２００に表示される録画予約画面ＰＩを例示している。録画予約画面ＰＩには、録画候補番組についての番組情報（例えば、チャンネル名、番組名、番組の放送日時、ジャンル情報、出演者情報、番組内容の説明等）が記載されているとともに、上述のようにダウンロードされた画像ファイルに基づく画像（画像ＩＭ１，ＩＭ３，ＩＭ４）が含まれている。録画予約画面ＰＩには、さらに、録画ボタンＲＣ、キャンセルボタンＣＢ、画像更新ボタンＲＮ等が含まれているとしてもよい。
【００４０】
ステップＳ２００では、ＣＰＵ２０は、画像の更新指示を受け付けたか否か判定する。画像の更新指示とは、ユーザが録画予約画面ＰＩに現在表示されている画像とは異なる画像を見たいときに入力する指示である。ＣＰＵ２０は、録画予約画面ＰＩを表示装置２００に表示させつつ、ユーザが操作するリモコン２等から画像の更新指示を受け付けたか否かを判定する。具体的には、画像更新ボタンＲＮが選択されたか否かを判定する。そして、画像の更新指示を受け付けた（画像更新ボタンＲＮが選択された）場合には、ステップＳ２１０へ進み、一方、画像の更新指示を受け付けていない場合には、ステップＳ２００の判定を繰り返す。なお、画像の更新指示は「画像ファイルに基づく画像を含んだ番組情報画面が表示部に表示された後の、画像ファイルのダウンロードの指示」を意味する。
【００４１】
ステップＳ２１０では、ＣＰＵ２０は、ステップＳ１７０で取得した画像ファイルの特定情報に基づき、現時点でダウンロード済みの画像ファイルとは異なる、ダウンロードすべき所定数の画像ファイルを選択し、当該選択した画像ファイルのダウンロードの要求を、インターネットＩＮを通じてサーバＳＶに送信する。例えば、ウェブページＷＰ（図４）内の画像ＩＭ１，ＩＭ３，ＩＭ４を既に選択してダウンロード済み（ステップＳ１８０）であれば、ＣＰＵ２０は、画像ＩＭ１，ＩＭ３，ＩＭ４を除いた他の画像ファイルであって、ウェブページＷＰ内で画像サイズが大きい画像ファイル（例えば、画像ＩＭ２の画像ファイル等）を優先的に選択し、ダウンロードを要求する。当該ダウンロードの要求に応じて、サーバＳＶは、当該要求において選択されている画像ファイルをインターネットＩＮを通じてレコーダ１００へ送信する。当該送信をネットワーク接続部２３で受けることにより、ＣＰＵ２０は、前記抽出されたウェブページに掲載された画像ファイルであって、ステップＳ１８０で取得した画像ファイルとは異なる画像ファイルを取得することができる。このように取得した画像ファイルは、ＨＤＤ部１２によって保存される（ダウンロード完了）。
【００４２】
ステップＳ２００，Ｓ２１０を経てのステップＳ１９０では、ＣＰＵ２０は、ステップＳ２１０でダウンロードした画像ファイルに基づく画像を含んだ録画予約画面ＰＩを生成し（つまり、更新した画像を含んだ録画予約画面ＰＩを生成し）、この録画予約画面ＰＩを表示装置２００に表示させる。ステップＳ１９０の実現のために機能する、ＣＰＵ２０、ＯＳＤ部１６、合成部１７、出力部１８等は、表示制御部に該当すると言える。
【００４３】
録画予約画面ＰＩが表示されている状況下で、ユーザは、リモコン２等を操作して録画ボタンＲＣを選択することにより、現在選択している録画候補番組の録画（録画予約）を確定させることができる。ＣＰＵ２０は、録画ボタンＲＣが選択された場合に、現在選択されている録画候補番組の録画（録画予約）を受け付けて、録画予約画面ＰＩの表示を終了する（番組情報画面表示処理の終了）。以後、このような録画予約に応じて、レコーダ１００は、テレビ放送される番組を所定の記憶媒体（ハードディスク等）に録画する。またユーザは、録画予約画面ＰＩが表示されている状況下で、リモコン２等を操作してキャンセルボタンＣＢを選択することにより、現在の録画候補番組に対する選択を解除することができる。ＣＰＵ２０は、キャンセルボタンＣＢが選択された場合、現在選択されている録画候補番組の録画（録画予約）を受け付けることなく、録画予約画面ＰＩの表示を終了する（番組情報画面表示処理の終了）。
【００４４】
このような録画候補番組に関連する画像（検索エンジンＳＥによる前記検索により抽出されたウェブページからダウンロードされた画像）を含んだ録画予約画面ＰＩが表示されることで、録画予約画面ＰＩを見たユーザは、録画候補番組の内容をより具体的に想像することができ、録画候補番組を録画すべきか否か適切に判断することができる。また、録画予約画面ＰＩには、ユーザがある程度の興味を持ってステップＳ１１０で選択した録画候補番組に関する画像が表示されるため、ユーザにとって有益な画像だけが表示されると言え、処理に無駄が無く、ユーザの利便性や快適性も損なわれない。また、ユーザは、画像更新ボタンＲＮを押す度に、録画予約画面ＰＩ内の録画候補番組に関する画像を更新することができるため、十分に納得して（録画候補番組に対する理解を十分に深めた上で）、録画候補番組の録画要否を判断することができる。
【００４５】
また、録画候補番組に関連するウェブページ（検索エンジンＳＥによる前記検索により抽出されたウェブページ）に画像ファイルが複数掲載されている場合、重要な画像（録画候補番組の理解に役立つ可能性が高い画像）ほど、画像サイズが大きいことが予想される。そのため上述したように、録画候補番組に関連するウェブページから、より画像サイズが大きい画像ファイルが優先的にダウンロードされて録画予約画面ＰＩ内に表示される構成としたことで、ユーザは、録画候補番組をより正確に理解することが可能となる。
【００４６】
また、上述したように、検索エンジンＳＥによる検索で最上位に抽出されたウェブページは、前記設定されたキーワードと最も関連性が高いウェブページであると予測されることに鑑み、本実施例では、録画予約画面ＰＩ内に表示される画像は、当該最上位に抽出されたウェブページからダウンロードされるとした。ただし、本発明は、検索エンジンＳＥによる検索で抽出されたウェブページであって、最上位に抽出されたウェブページ以外のウェブページから録画予約画面ＰＩ内に表示される画像をダウンロードすることを排除しない。また、ＣＰＵ２０は、ステップＳ１８０やステップＳ２１０において、あるウェブページから所定数（例えば３）の画像ファイルをダウンロードしようとした場合、当該ウェブページに含まれるダウンロード可能な画像ファイル数が当該所定数を下回っている場合には、検索エンジンＳＥによる検索で抽出された他のウェブページから、必要数の画像ファイルをダウンロードするとしてもよい。
【００４７】
ステップＳ１９０において録画予約画面ＰＩに表示する画像は、ダウンロード（ステップＳ１８０，Ｓ２１０）された画像ファイルに基づくそのままのサイズの画像であってもよいが、録画予約画面ＰＩ内のスペースが限られていることを考慮して、基本的には、ダウンロードされた画像ファイルに基づく縮小画像（サムネイル画像）とする。また、ＣＰＵ２０は、例えば、ユーザがリモコン２等を操作して画面内のカーソルの位置を録画予約画面ＰＩ内のサムネイル画像に合わせたことを検知すると、当該サムネイル画像に対する拡大の指示であると解し、当該サムネイル画像を拡大表示するとしてもよい。
【００４８】
実施形態は上述の内容に限られるものではなく種々の態様が考えられ、後述するような各実施例を採用可能である。本明細書における実施形態や実施例を適宜組み合わせた構成も、本発明の開示範囲に入る。以下では、既に説明した事項が適宜適用されるものとし、主に、既に説明した事項と異なる点を主に説明する。
【００４９】
（第２実施例）
画像ファイル取得部は、前記検索により抽出されたウェブページに掲載された画像ファイルのうち所定数の画像ファイルを選択してダウンロードする際に、録画候補番組の番組情報の一部である番組の出演者名との類似度が高いファイル名を有する画像ファイルを優先して選択するとしてもよい。
【００５０】
ステップＳ１７０では、ＣＰＵ２０は、サーバＳＶから、前記抽出されたウェブページに掲載された画像ファイルの特定情報として、画像ファイルのファイル名を取得する。つまりＣＰＵ２０は、ネットワーク接続部２３を制御することにより、インターネットＩＮを通じてサーバＳＶに前記画像ファイルのファイル名の提供を要求する。当該要求に応じて、サーバＳＶは、前記抽出されたウェブページに掲載された画像ファイルのファイル名をインターネットＩＮを通じてレコーダ１００へ送信する。当該送信をネットワーク接続部２３で受けることにより、ＣＰＵ２０は、前記抽出されたウェブページに掲載された画像ファイルのファイル名を取得する。
【００５１】
ステップＳ１８０では、ＣＰＵ２０は、ステップＳ１７０で取得した画像ファイルのファイル名に基づき、ダウンロードすべき所定数の画像ファイルを選択し、当該選択した画像ファイルのダウンロードの要求を、インターネットＩＮを通じてサーバＳＶに送信する。当該選択にあたっては、ＣＰＵ２０は、先ず、録画候補番組の出演者情報をＥＰＧデータから抽出し、出演者情報に含まれる出演者名の漢字表記、平仮名表記、片仮名表記、ローマ字表記それぞれの文字列を生成する。次に、これら文字列と、ステップＳ１７０で取得した画像ファイル毎のファイル名とを比較し、これら文字列との類似度が高いファイル名を有する画像ファイルを優先的に３つ（所定数の一例）選択してダウンロードを要求する。例えば、前記文字列のいずれかと完全に一致するファイル名は、前記類似度が最も高いファイル名であると言える。また、前記文字列のいずれかを一部に含むファイル名は、その次に前記類似度が高く、前記文字列の一部を含むファイル名は、その次に前記類似度が高いと言える。いずれにしても、ＣＰＵ２０は、ある判断基準の下で、前記文字列と画像ファイルのファイル名との類似度を判定して、ダウンロードを要求すべき画像ファイルを選択する。
【００５２】
このようなダウンロードの要求に応じて、サーバＳＶは、当該要求において選択されている画像ファイルをインターネットＩＮを通じてレコーダ１００へ送信する。当該送信をネットワーク接続部２３で受けることにより、ＣＰＵ２０は、前記抽出されたウェブページに掲載された画像ファイルを取得することができる。このように取得した画像ファイルは、ＨＤＤ部１２によって保存される（ダウンロード完了）。
【００５３】
録画候補番組に関連するウェブページ（検索エンジンＳＥによる前記検索により抽出されたウェブページ）に画像ファイルが複数掲載されている場合、重要な画像（録画候補番組の理解に役立つ可能性が高い画像）のファイル名は、録画候補番組の出演者名を含むなど、出演者名との類似度が高いと予想される。そのため第２実施例のように、録画候補番組に関連するウェブページから、出演者名との類似度が高いファイル名を有する画像ファイルが優先的にダウンロードされて録画予約画面ＰＩ内に表示される構成としたことで、ユーザは、録画候補番組をより正確に理解することが可能となる。第２実施例では、ステップＳ２１０においても、現時点でダウンロード済みの画像ファイルとは異なる画像ファイルのうち、出演者名との類似度が高いファイル名を有する画像ファイルが優先的にダウンロードされる。
【００５４】
（第３実施例）
画像ファイル取得部は、前記検索により抽出されたウェブページに掲載された画像ファイルのうち所定数の画像ファイルを選択してダウンロードする際に、当該ウェブページ内における表示位置が当該ウェブページの先頭に近い画像ファイルを優先して選択するとしてもよい。
【００５５】
ステップＳ１７０では、ＣＰＵ２０は、サーバＳＶから、前記抽出されたウェブページに掲載された画像ファイルの特定情報として、ウェブページ内における画像ファイルにかかる画像の表示位置（座標）を示す位置情報を取得する。つまりＣＰＵ２０は、ネットワーク接続部２３を制御することにより、インターネットＩＮを通じてサーバＳＶに前記画像ファイルの位置情報の提供を要求する。当該要求に応じて、サーバＳＶは、前記抽出されたウェブページに掲載された画像ファイルの位置情報をインターネットＩＮを通じてレコーダ１００へ送信する。当該送信をネットワーク接続部２３で受けることにより、ＣＰＵ２０は、前記抽出されたウェブページに掲載された画像ファイルの位置情報を取得する。
【００５６】
ステップＳ１８０では、ＣＰＵ２０は、ステップＳ１７０で取得した画像ファイルの位置情報に基づき、ダウンロードすべき所定数の画像ファイルを選択し、当該選択した画像ファイルのダウンロードの要求を、インターネットＩＮを通じてサーバＳＶに送信する。当該選択にあたっては、ＣＰＵ２０は、ステップＳ１７０で取得した画像ファイル毎の位置情報を比較し、ウェブページの先頭に近い画像ファイルを優先的に３つ（所定数の一例）選択してダウンロードを要求する。図４の例を参考にすると、ウェブページＷＰに掲載された画像ＩＭ１，ＩＭ２，ＩＭ３，ＩＭ４…のうち、ウェブページＷＰの先頭（上端）により近い３つの画像ファイル（画像ＩＭ１，ＩＭ２，ＩＭ３それぞれの画像ファイル）が選択される。なお、ウェブページの先頭からの距離（ウェブページの上下方向における距離）が同じ画像ファイルについては、例えば、ウェブページの左端に近い方の画像ファイルを優先的に選択するとしてもよい。
【００５７】
このようなダウンロードの要求に応じて、サーバＳＶは、当該要求において選択されている画像ファイルをインターネットＩＮを通じてレコーダ１００へ送信する。当該送信をネットワーク接続部２３で受けることにより、ＣＰＵ２０は、前記抽出されたウェブページに掲載された画像ファイルを取得することができる。このように取得した画像ファイルは、ＨＤＤ部１２によって保存される（ダウンロード完了）。
【００５８】
録画候補番組に関連するウェブページ（検索エンジンＳＥによる前記検索により抽出されたウェブページ）に画像ファイルが複数掲載されている場合、重要な画像（録画候補番組の理解に役立つ可能性が高い画像）ほど、ウェブページの先頭に近い位置に表示されていることが予想される。そのため第３実施例のように、録画候補番組に関連するウェブページから、表示位置がウェブページの先頭に近い画像ファイルが優先的にダウンロードされて録画予約画面ＰＩ内に表示される構成としたことで、ユーザは、録画候補番組をより正確に理解することが可能となる。第３実施例では、ステップＳ２１０においても、現時点でダウンロード済みの画像ファイルとは異なる画像ファイルのうち、表示位置がウェブページの先頭に近い画像ファイルが優先的にダウンロードされる。
【００５９】
（第４実施例）
図６は、第４実施例にかかる番組情報画面表示処理を示すフローチャートである。当該フローチャートの各ステップは、ＣＰＵ２０による制御下で実行される。図６のフローチャートは、図２のフローチャートと比較したとき、ステップＳ１１５，Ｓ２２０を有する点で異なる。
【００６０】
ステップＳ１１５では、ＣＰＵ２０は、録画候補番組のジャンルが、既に選択されたジャンル（設定済みジャンル）に該当するか否か判定する。録画候補番組のジャンルは、ＲＯＭ２１に記憶されたＥＰＧデータを参照することにより特定される。一方、設定済みジャンルとは、少なくともステップＳ１１５の判定よりも先のタイミングで、ユーザが、リモコン２等を操作することにより選択した、番組の内容に関するジャンルである。なお、設定済みジャンルの選択を受け付け可能な点で、ＣＰＵ２０は、ジャンル選択受付部として機能すると言える。
【００６１】
設定済みジャンルの数は、一つであってもよいし複数であってもよい。例えば、設定済みジャンルとして、「ドラマ」、「映画」および「バラエティ」が選択されているとする。この場合、ＣＰＵ２０は、録画候補番組のジャンルが設定済みジャンルのいずれかに該当すれば、ステップＳ１２０以下に進み、上述したようなキーワードの設定等の処理を行う。一方、録画候補番組のジャンルが設定済みジャンルのいずれにも該当しないジャンル（例えば、スポーツ）であれば、ステップＳ１１５からステップＳ２２０へ進む。
【００６２】
ステップＳ２２０では、ＣＰＵ２０は、ＯＳＤ部１６、合成部１７、出力部１８等を制御し、通常の録画予約画面を表示装置２００に表示させる。“通常の録画予約画面”とは、上述したようにダウンロードされる画像ファイルに基づく画像を含まない録画予約画面、つまり録画候補番組についてのＥＰＧデータとして得られている番組情報を文字で記載しただけの録画予約画面である。ただし、ステップＳ２２０で表示する通常の録画予約画面も、図５に例示した録画予約画面ＰＩと同様に、録画ボタンＲＣおよびキャンセルボタンＣＢを有するとしてもよい。
【００６３】
ユーザは、番組の録画要否を判断する際に、常に画像による詳細な情報を必要とするとは限らない。例えば、スポーツ中継のように、番組名（対戦カード）等の文字情報を読むだけで内容を容易に理解できるような番組については、録画予約の際に、わざわざ録画予約画面内に画像を表示させる必要性は低い。第４実施例によれば、番組の録画要否を判断する際に画像による詳細な情報が必要であるとしてユーザが予め選択した設定済みジャンルに該当する録画候補番組に限って、ステップＳ１２０〜Ｓ２１０の処理が実行される。従って、レコーダ１００の処理負担を効果的に抑制することができる。なお、第４実施例の解釈として、設定済みジャンルは、番組の録画要否を判断する際に画像による詳細な情報が不要なジャンル、であってもよい。つまり、録画候補番組のジャンルが設定済みジャンル（＝番組の録画要否を判断する際に画像による詳細な情報が必要なジャンル）に該当する場合にステップＳ１２０以下に進むことと、録画候補番組のジャンルが設定済みジャンル（＝番組の録画要否を判断する際に画像による詳細な情報が不要なジャンル）に該当しない場合にステップＳ１２０以下に進むこととは、同じことである。
【００６４】
（第５実施例）
図７は、第５実施例にかかる番組情報画面表示処理を示すフローチャートである。当該フローチャートの各ステップは、ＣＰＵ２０による制御下で実行される。図７のフローチャートは、図２のフローチャートと比較したとき、ステップＳ１１６，Ｓ２２０を有する点で異なる。また、図７のフローチャートは、図６のフローチャートと比較したとき、ステップＳ１１５の替わりにステップＳ１１６を有する。
【００６５】
ステップＳ１１６では、ＣＰＵ２０は、録画候補番組の番組名と同じ番組名を有する番組の録画の履歴が履歴記録部２１ａに記録されているか否か判定する。履歴記録部２１ａとは、所定のメモリー（例えばＲＯＭ２１、図１参照。）内の一部領域であり、レコーダ１００による過去の番組の録画履歴を記録している。ＣＰＵ２０は、録画候補番組の番組名と同じ番組名を有する番組の録画の履歴が履歴記録部２１ａに記録されていない場合に、ステップＳ１２０以下に進み、上述したようなキーワードの設定等の処理を行う。一方、録画候補番組の番組名と同じ番組名を有する番組の録画の履歴が履歴記録部２１ａに記録されていれば、ステップＳ１１６からステップＳ２２０へ進む。
【００６６】
ユーザは、番組の録画要否を判断する際に、常に画像による詳細な情報を必要とするとは限らない。例えば、過去に録画したことがある番組名の番組（例えば、毎週レギュラー放送される番組）については、どのような番組であるかを把握しているため、録画予約の際に、わざわざ録画予約画面内に画像を表示させる必要性は低い。第５実施例によれば、録画候補番組の番組名と同じ番組名を有する番組の録画の履歴が履歴記録部２１ａに記録されていない場合に限って、ステップＳ１２０〜Ｓ２１０の処理が実行される。従って、レコーダ１００の処理負担を効果的に抑制することができる。
【００６７】
むろん、第４実施例と第５実施例を組み合わせることも可能である。つまり、録画候補番組のジャンルが設定済みジャンル（＝番組の録画要否を判断する際に画像による詳細な情報が必要なジャンル）に該当し、かつ、当該録画候補番組の番組名と同じ番組名を有する番組の録画の履歴が履歴記録部２１ａに記録されていない場合に、ステップＳ１２０以下に進むとしてもよい。
【００６８】
さらに、
・上記各実施例の中で開示した相互に置換可能な部材および構成等を適宜その組み合わせを変更して適用すること、
・上記各実施例の中で開示されていないが、公知技術であって上記各実施例の中で開示した部材および構成等と相互に置換可能な部材および構成等を適宜置換し、またその組み合わせを変更して適用すること、
・上記各実施例の中で開示されていないが、公知技術等に基づいて当業者が上記各実施例の中で開示した部材および構成等の代用として想定し得る部材および構成等と適宜置換し、またその組み合わせを変更して適用すること、
は本発明の一実施例として開示されるものである。
【符号の説明】
【００６９】
１…レコーダ本体、２…リモコン、１１…チューナ、１２…ＨＤＤ部、１３…ＤＶＤ部、１４…信号処理部、１５…ＥＰＧデータ抽出部、１６…ＯＳＤ部、１７…合成部、１８…出力部、１９…受信部、２０…ＣＰＵ、２１…ＲＯＭ、２１ａ…履歴記録部、２２…ＲＡＭ、２３…ネットワーク接続部、１００…レコーダ、２００…表示装置、ＩＭ１，ＩＭ２，ＩＭ３，ＩＭ４…画像、ＰＧ…電子番組表、ＰＩ…番組情報画面（録画予約画面）、ＷＰ…ウェブページ
【図１】
2016009909.tif 000003
【図２】
2016009909.tif 000004
【図３】
2016009909.tif 000005
【図４】
2016009909.tif 000006
【図５】
2016009909.tif 000007
【図６】
2016009909.tif 000008
【図７】
2016009909.tif 000009